(57)【要約】【課題】斜面を安定させるために構築してある既存の安定梁の周囲全面を極めて簡単に緑化させて、周囲の環境にマッチさせる緑化枠を提供することにある。【解決手段】左右一対の多孔性の側板１と、この両側板の長手方向所要間隔位置の上縁側に両方の端をそれぞれ取付けた連結杆材２と、上記両側板の下部に取付けて互いに内方に突出する前記側板の押し広げ用の突っ張り杆材３とで緑化枠Ａを構成し、この緑化枠を既存の安定梁に嵌装したのち、緑化吹付材を吹き付けて緑化する。【選択図】　　図１
2004003169.tif 000002
【特許請求の範囲】
【請求項１】
左右一対の多孔性の側板と、この両側板の長手方向所要間隔位置の上縁側に両方の端をそれぞれ取付けた連結杆材と、上記両側板の下部に取付けて互いに内方に突出する前記側板の押し広げ用の突っ張り杆材とからなる緑化枠。
【請求項２】
前記連結杆材と突っ張り杆材とに支持杆の上下端を取付けたことを特徴とする請求項１に記載の緑化枠。
【請求項３】
下方に向う程対向間隔が大きくなる左右一対の多孔性の側板と、この側板の長手方向所要間隔位置の上縁側に両方の端をそれぞれ取付けた連結杆材と、この連結杆材の両端部に上端を取付けた垂直杆材と、この垂直杆材と上記側板との下部に端をそれぞれ取付けた支杆材とからなる緑化枠。
【請求項４】
左右一対の多孔性の側板と、この両側板の長手方向所要間隔位置の上縁側に両方の端をそれぞれ取付けた連結杆材と、左右の対向間隔が下方に向う程小さくなると共に、上記連結杆材の両端部にそれぞれ上端を取付けた縦杆材と、この両縦杆材の下部と上記側板の下部とに端をそれぞれ取付けた支杆材とからなる緑化枠。
【発明の詳細な説明】
【０００１】
【発明の属する技術分野】
この発明は、オープンカット工法などにより構成した高速道路などの法面や、ダムの湛水斜面、各種施設などに面する傾斜した法面或いは崩壊のおそれのある急傾斜地などの斜面安定工の安定梁を緑化するために用いる緑化枠に関する。
【０００２】
【従来の技術及びその課題】
上述のような斜面安定工の安定梁は、周知のように、左右一対の金網製の側板と、この両側板を連結する一定間隔毎配置の連結枠とで構成された型枠を斜面上に配置する。
【０００３】
上記型枠には、上記主筋及び下部主筋が配筋される。
【０００４】
しかして、型枠にモルタルやコンクリートを打設して安定梁を構築する。
【０００５】
上記の安定梁は、縦列（山と谷とを結ぶ線上）のみ或いは縦列と横列との組み合わせたものがある。
【０００６】
上記のような安定梁は、モルタルやコンクリートの打設のまま放置してあるので、周囲の環境にマッチしない。
【０００７】
特に、安定梁によって囲まれた各升目内の地山に緑化吹付材（客土に種や肥料、保水材を混入したもの）を吹き付けて緑化することもある。
【０００８】
この場合、升目内の緑化に対し安定梁のモルタルやコンクリート表面がむき出しになっているので、アンバランスになって見苦しさが際だつなどの問題があった。
【０００９】
また、既存の安定梁の表面に緑色の塗料を塗布して周囲の環境にマッチさせることも考えられる。
【００１０】
しかしながら、塗布作業に著しく手数がかかって大幅なコストアップになり、また短期間で退色や剥離などによって見苦しくなるなどの問題があった。
【００１１】
そこで、この発明は、既存の安定梁の緑化を極めて容易に行なうことができるようにする。
【００１２】
【課題を解決するための手段】
上記の課題を解決するために、この発明は、左右一対の多孔性の側板と、この両側板の長手方向所要間隔位置の上縁側に両方の端をそれぞれ取付けた連結杆材と、上記両側板の下部に取付けて互いに内方に突出する前記側板の押し広げ用の突っ張り杆材とからなる構成を採用する。
【００１３】
また、前記連結杆材と突っ張り杆材とに支持杆の上下端を取付けた構成を採用する。
【００１４】
さらに、下方に向う程対向間隔が大きくなる左右一対の多孔性の側板と、この側板の長手方向所要間隔位置の上縁側に両方の端をそれぞれ取付けた連結杆材と、この連結杆材の両端部に上端を取付けた垂直杆材と、この垂直杆材と上記側板との下部に端をそれぞれ取付けた支杆材とからなる構成を採用することもある。
【００１５】
また、左右一対の多孔性の側板と、この両側板の長手方向所要間隔位置の上縁側に両方の端をそれぞれ取付けた連結杆材と、左右の対向間隔が下方に向う程小さくなると共に、上記連結杆材の両端部にそれぞれ上端を取付けた縦杆材と、この両縦杆材の下部と上記側板の下部とに端をそれぞれ取付けた支杆材とからなる構成を採用することもある。
【００１６】
【発明の実施の形態】
この発明の実施の形態を添付図面に基づいて説明する。
【００１７】
この発明の第１の実施形態では、図１及び図２に示すように、左右に所定の間隔を存して対向する一対の多孔性の側板１、１と、この両側板１の長手方向所要間隔位置の上縁側に両方の端をそれぞれ取付けた連結杆材２と、両側板１、１の下部に取付けて、互いに内方に突出する側板の押し広げ用の突っ張り杆材３とで緑化枠Ａを構成する。
【００１８】
上記の連結杆材２は、図示の場合上下に二本並設したが、本数は限定（一本であってもよい）されない。
【００１９】
上記多孔性の側板１、１としては、金網やクリンプ金網などが使用されている。
【００２０】
上記側板１、１に対する連結杆材２の両端の取付けは、スポット溶接によって固着する以外に、連結杆材２の両端に屈曲により環状部（図示省略）を設けて、側板を形成する金網の縦線を環状部に貫通させて係合することもある。
【００２１】
すると、貫通部分が回動支点になって緑化枠Ａを折り畳むことができるので、嵩低くなって格納や搬送が容易になる。
【００２２】
上記側板１、１に対する突っ張り杆材３の取付けもスポット溶接で行なう。
【００２３】
上記のように構成した緑化枠Ａは、図２に示すように、斜面Ｂ上に構築された既存の安定梁Ｃの上方に緑化枠Ａを持ち上げる。
【００２４】
そして、持ち上げた緑化枠Ａの両側板１、１の下縁部を外方（互いに相反する方向、すなわち離反するように）に引っ張りながら安定梁Ｃの外側に緑化枠Ａを落し込み、安定梁Ｃの上面と下側の連結杆材２との当接下に両側板１、１の引っ張りを解除する。
【００２５】
すると、安定梁Ｃの側面に突っ張り杆材３、３の先端が当接して、側板１、１の元の状態に戻るのを途中で突っ張り杆材３、３を介し止めることになる。
【００２６】
このため、図２に示すように、安定梁Ｃに対し緑化枠Ａを両側板１、１が下広がりの状態（両側板１、１の対向間隔が下方に向う程大きくなって）で、嵌装することができる。
【００２７】
しかして、緑化枠Ａに緑化吹付材Ｄを吹き付けながら、緑化吹付材Ｄ内に緑化枠Ａを埋没する。
【００２８】
上記の緑化吹付材Ｄとしては、客土に種子やマンネングサなどの緑化材（物）の混入した植生基盤材で、生育のための保水並びに吸水材や肥料などが混入してある。
【００２９】
なお、既存の安定梁Ｃは、周知のように、斜面に特開平７−２８６３３０号公報に示すように、型枠Ｋを載置すると共に、上部主筋及び下部主筋を配置する。
【００３０】
次いで、型枠Ｋにモルタルやコンクリートを打接して構築する。
【００３１】
また、図示のように、両側板１、１の内側に支持杆１１を配置して、連結杆材２に支持杆１１の上部側を、突っ張り杆材３、３の中途に支持杆１１の下端側をスポット溶接などで固定しておく。
【００３２】
すると、突っ張り杆材３の安定性がよくなると共に、側板１、１に対し突っ張り杆材３の外端を連結杆材２と同様に回動自在に取付けて緑化枠Ａの折り畳みができる。
【００３３】
さらに、図３及び図４に示すように、下側連結杆材２の両端部に横長な環状部１２を設けて、この環状部１２に側板１を形成する金網の縦線１′を貫通させておくと、側板１、１の広げ作用の際の抵抗を半減することができる。
【００３４】
勿論、上側連結杆材２の端は、側板１に固定してある。
【００３５】
この発明の第２の実施形態では、図５に示すように、下方に向う程対向間隔が大きくなる左右一対の多孔性の側板１、１と、この側板１の長手方向所要間隔位置の上縁側に両方の端をそれぞれ取付けた連結杆材２と、この連結杆材２の両端部に上端を取付けた垂直杆材２１と、この垂直杆材２１と側板１との下部にそれぞれ端を取付けた支杆材２２とで緑化枠Ａ′を構成する。
【００３６】
上記側板１に対する連結杆材２及び支杆材２２の取付けは、スポット溶接以外に、折畳みができるように環状部に側板１を形成する金網の縦線を貫通させて取付け、連結杆材２及び支杆材２２に対する垂直杆材２１の取付けは、スポット溶接などで固定する。
【００３７】
上記左右の垂直杆材２１、２１の対向間隔は、第１の実施形態と同様の安定梁Ｃの両側面外側に位置する、すなわち、安定梁Ｃの外側に緑化枠Ａ′を嵌装した際のスムーズな嵌装を保障する間隔としておく。
【００３８】
しかして、安定梁Ｃの外側に緑化枠Ａ′を嵌装したのち、緑化枠Ａ′に第１の実施形態と同様の緑化吹付材Ｄを吹き付けて、緑化吹付材Ｄ内に緑化枠Ａ′を埋没する。
【００３９】
この発明の第３の実施形態では、図６に示すように、左右で対向する一対の多孔性の側板１、１と、この両側板１の長手方向所要間隔位置の上縁側に両方の端をそれぞれ取付けた連結杆材２と、左右の対向間隔が下方に向う程小さくなると共に、連結杆材２に上端をそれぞれ取付けた縦杆材３１、３１と、この両縦杆材３１の下部と側板１の下部とに端をそれぞれ取付けた支杆材３２とで緑化枠Ａ″を構成する。
【００４０】
上記連結杆材２に上部を取付けた両縦杆材３１の対向間隔は、安定梁Ｃの上部が嵌り込む幅（間隔）にしてある。
【００４１】
上記側板１、側板１に対する連結杆材２及び支杆材３２の取付けは、第１の実施形態と同様につき説明を省略する。
【００４２】
そして、連結杆材２及び支杆材３２に対する縦杆材３１の取付けは、スポット溶接などで行なう。
【００４３】
上記構成した緑化枠Ａ″は、両側板１、１の下部を互いに相反する外側に引っ張りながら、両縦杆材３１の下部側対向間隔を、安定梁Ｃの両側面間の幅より大きくなるように広げる。
【００４４】
そして、この広げ状態を維持しながら、上方から安定梁Ｃの外側に緑化枠Ａ″を落し込みながら嵌め込むと共に、安定梁Ｃの上面に連結杆材２を当接し、嵌め込み後に両側板１、１の引っ張りを解除する。
【００４５】
すると、引っ張りの解除にともない側板１及び縦杆材３１が戻り、安定梁Ｃの側面に縦杆材３１が外接すると共に、安定梁Ｃに対する縦杆材３１の圧接によって緑化枠Ａ″の嵌装が安定する。
【００４６】
しかして、緑化枠Ａ″に第１の実施形態と同様の緑化吹付材Ｄを吹き付けて、緑化吹付材Ｄ内に緑化枠Ａ″を埋没する。
【００４７】
【発明の効果】
この発明の緑化枠は、以上のように構成してあるので、斜面に構築してある既存の安定梁に緑化枠を嵌装し、緑化枠に吹き付ける緑化吹付材によって安定梁の上面及び両側面を緑化することができると共に、安定梁に嵌装した緑化枠の両側板が下方に向う程広がっているため、緑化植物の生育を良好に行なうこともできる。
【００４８】
また、側板を広げながら安定梁に緑化枠を嵌装し、嵌装後に側板の広がりを解除すると、安定梁の側面に突っ張り杆材の先を強く押し付けたり、安定梁の側面に縦杆材を圧接することになるので、安定梁に対する緑化枠の移動がなく、嵌装下の緑化枠が安定する。
【図面の簡単な説明】
【図１】この発明の第１実施形態の緑化枠を示す斜視図
【図２】安定梁に対する緑化枠の取付けを示す縦断正面図
【図３】安定枠の他の例を示す一部縦断正面図
【図４】同上の要部を示す横断拡大平面図
【図５】第２の実施形態の緑化枠を示す正面図
【図６】第３の実施形態を示す正面図
【図７】同上の使用状態を示す縦断正面図
【符号の説明】
Ａ、Ａ′、Ａ″　緑化枠
Ｂ　　　　　　斜面
Ｃ　　　　　　安定梁
Ｄ　　　　　　吹付材
１　　　　　　　側板
２　　　　　　　連結杆材
３　　　　　　　突っ張り杆材
１１　　　　　　支持杆
１２　　　　　　環状部
１′　　　　　縦線
２１　　　　　　垂直杆材
２２　　　　　　支杆材
３１　　　　　　縦杆材
３２　　　　　　支杆材
【図１】
2004003169.tif 000003
【図２】
2004003169.tif 000004
【図３】
2004003169.tif 000005
【図４】
2004003169.tif 000006
【図５】
2004003169.tif 000007
【図６】
2004003169.tif 000008
【図７】
2004003169.tif 000009